(57)【要約】      （修正有）【課題】注視性の向上した回転指針が表示指標を指示することによる情報報知性を確保した車両用表示装置を提供する。【解決手段】表示パネルは、円周方向に沿う特定表示領域１２６に数字指標１２４ａを形成する。回転指針１４１は、特定表示領域１２６の前方にて内蔵の特定光源部１４３ａと、表示パネルにて特定表示領域１２６よりも外周側の外周表示領域１２７の前方にて内蔵の外周光源部１４３ｂと、表示パネルにて特定表示領域１２６よりも内周側の内周表示領域１２８の前方にて内蔵の内周光源部１４３ｃとを有する。回転指針１４１が数字指標１２４ａの前方箇所から外れた場合に制御ユニットは、特定光源部１４３ａと外周光源部１４３ｂと内周光源部１４３ｃとを点灯させる。一方で回転指針１４１が数字指標１２４ａの前方箇所に回転した場合に制御ユニットは、外周光源部１４３ｂと内周光源部１４３ｃとを点灯させ且つ特定光源部１４３ａを消灯させる。【選択図】図３
2018009901.tif 000002
【特許請求の範囲】
【請求項１】
車両に搭載される車両用表示装置（１００）であって、
表示指標（１２４ａ，１２４ｂ，１２５ａ，１２５ｂ）を円周方向に複数並べて形成して前方から視認可能に表示する表示パネル（１２０）と、
前記表示パネルの前方にて前記円周方向に回転可能に且つ前記表示指標を指示可能に配置されており、内蔵している指針光源部（１４３，１４３ａ，１４３ｂ，１４３ｃ）の点灯により前方から視認可能に発光する透明又は半透明な回転指針（１４１，２１４１）と、
前記回転指針を回転駆動する駆動ユニット（１５０）と、
前記指針光源部による前記回転指針の発光状態と、前記駆動ユニットによる前記回転指針の回転駆動状態とを、制御する制御ユニット（１７０）とを、備え、
前記表示パネルは、
前記円周方向に沿って想定される特定表示領域（１２６）に前記表示指標としての特定指標（１２４ａ）を形成し、
前記回転指針は、
前記特定表示領域の前方にて前記回転指針に内蔵されている前記指針光源部としての特定光源部（１４３ａ）と、
前記表示パネルにおいて前記特定表示領域よりも外周側に想定される外周表示領域（１２７）の前方にて前記回転指針に内蔵されている前記指針光源部としての外周光源部（１４３ｂ）と、
前記表示パネルにおいて前記特定表示領域よりも内周側に想定される内周表示領域（１２８）の前方にて前記回転指針に内蔵されている前記指針光源部としての内周光源部（１４３ｃ）とを、有し、
前記回転指針が前記特定指標の前方箇所から外れた場合（Ｍｎ）に前記制御ユニットは、前記特定光源部と前記外周光源部と前記内周光源部とを点灯させる一方、
前記回転指針が前記特定指標の前方箇所に回転した場合（Ｍｓ）に前記制御ユニットは、前記外周光源部と前記内周光源部とを点灯させると共に、前記特定光源部を消灯させる車両用表示装置。
【請求項２】
前記表示パネルは、前記表示指標を前記円周方向に複数並べて形成する指標画像（１２２ａ，１２２ｂ）と、前記指標画像の背景を形成する背景画像（１２３ａ，１２３ａｔ，１２３ｂ）とを、前方から視認可能に表示し、
前記制御ユニットは、前記表示パネルにおける前記指標画像及び前記背景画像の表示状態を制御する請求項１に記載の車両用表示装置。
【請求項３】
前記回転指針が前記特定指標の前方箇所に回転した場合に前記制御ユニットは、前記外周表示領域と前記内周表示領域との各々にて前記回転指針の回転側とは逆側に、前記外周光源部と前記内周光源部との各々の軌跡を表現する画像（１２３ａｔ）を、前記背景画像の一部として前記表示パネルに表示させる請求項２に記載の車両用表示装置。
【請求項４】
前記回転指針が前記特定指標の前方箇所から外れた場合に前記制御ユニットは、前記特定表示領域と前記外周表示領域と前記内周表示領域との各々にて前記回転指針の回転側とは逆側に、前記特定光源部と前記外周光源部と前記内周光源部との各々の軌跡を表現する画像（１２３ａｔ）を、前記背景画像の一部として前記表示パネルに表示させる請求項３に記載の車両用表示装置。
【請求項５】
前記回転指針（２１４１）は、前記特定光源部と前記外周光源部と前記内周光源部との各々から前方の複数の凹凸を通して光を透過させる透明又は半透明な指針透過部（２１４４）を、有する請求項１〜４のいずれか一項に記載の車両用表示装置。
【請求項６】
前記回転指針（１４１，２１４１）を含んで構成される指針ユニット（１４０）を、さらに備え、
前記指針ユニットは、
前記円周方向に回転可能に配置されており、前記特定光源部と前記外周光源部と前記内周光源部とを点灯させるために複数の導通ターミナル（１４５，１４５ａ，１４５ｂ，１４５ｃ，１４５ｄ，１４５ｅ，１４５ｆ，１４５ｇ）が設けられて前記回転指針を支持している可動歯車（１４２）を、含み、
前記駆動ユニットは、
前記表示パネルに対し位置固定されて前記制御ユニットと導通しており、対応する前記導通ターミナルと摺接により導通する複数の固定接触子（１５５）と、
前記制御ユニットと導通しており、前記可動歯車と連繋した駆動歯車（１５８，１５９）を自転させることにより、前記回転指針を前記可動歯車と一体に回転駆動するアクチュエータ（１５６）とを、含む請求項１〜５のいずれか一項に記載の車両用表示装置。
【発明の詳細な説明】
【技術分野】
【０００１】
本発明は、車両に搭載される車両用表示装置に、関する。
【背景技術】
【０００２】
一般に車両用表示装置では、表示パネルの前方にて円周方向に回転可能に配置された回転指針が、駆動ユニットにより回転駆動される。その結果、表示パネルの円周方向に複数並んで形成されて前方から視認可能に形成されている表示指標のうちいずれかを、回転指針が回転位置に応じて指示することとなる。
【０００３】
こうした車両用表示装置の一種として特許文献１に開示のものでは、回転指針の外部にて位置固定された外部光源部の点灯により、当該光源部からの光が導かれて回転指針が前方から視認可能に発光する。これによれば、発光した回転指針に対しての注視性を確保することが可能となっている。
【先行技術文献】
【特許文献】
【０００４】
【特許文献１】特開２００３−１２１２１２号公報
【発明の概要】
【発明が解決しようとする課題】
【０００５】
しかし、特許文献１に開示の車両用表示装置では、表示指標のうち数字指標の前方箇所に回転指針が回転すると、数字指標は、外部光源部の点灯中は全体的に発光する回転指針の背後に隠れてしまい、前方からは視認困難となる。そのため、回転指針が数字指標を指示することで視認者へと報知されるはずの情報につき、報知性を低下させるおそれがあった。
【０００６】
本発明は、以上説明した問題に鑑みてなされたものであって、その目的は、注視性の向上した回転指針が表示指標を指示することによる情報の報知性を確保する車両用表示装置を、提供することにある。
【課題を解決するための手段】
【０００７】
以下、課題を達成するための発明の技術的手段について、説明する。尚、発明の技術的手段を開示する特許請求の範囲及び本欄に記載された括弧内の符号は、後に詳述する実施形態に記載された具体的手段との対応関係を示すものであり、発明の技術的範囲を限定するものではない。
【０００８】
上述の課題を解決するために開示された発明は、
車両に搭載される車両用表示装置（１００）であって、
表示指標（１２４ａ，１２４ｂ，１２５ａ，１２５ｂ）を円周方向に複数並べて形成して前方から視認可能に表示する表示パネル（１２０）と、
表示パネルの前方にて円周方向に回転可能に且つ表示指標を指示可能に配置されており、内蔵している指針光源部（１４３，１４３ａ，１４３ｂ，１４３ｃ）の点灯により前方から視認可能に発光する透明又は半透明な回転指針（１４１，２１４１）と、
回転指針を回転駆動する駆動ユニット（１５０）と、
指針光源部による回転指針の発光状態と、駆動ユニットによる回転指針の回転駆動状態とを、制御する制御ユニット（１７０）とを、備え、
表示パネルは、
円周方向に沿って想定される特定表示領域（１２６）に表示指標としての特定指標（１２４ａ）を形成し、
回転指針は、
特定表示領域の前方にて回転指針に内蔵されている指針光源部としての特定光源部（１４３ａ）と、
表示パネルにおいて特定表示領域よりも外周側に想定される外周表示領域（１２７）の前方にて回転指針に内蔵されている指針光源部としての外周光源部（１４３ｂ）と、
表示パネルにおいて特定表示領域よりも内周側に想定される内周表示領域（１２８）の前方にて回転指針に内蔵されている指針光源部としての内周光源部（１４３ｃ）とを、有し、
回転指針が特定指標の前方箇所から外れた場合（Ｍｎ）に制御ユニットは、特定光源部と外周光源部と内周光源部とを点灯させる一方、
回転指針が特定指標の前方箇所に回転した場合（Ｍｓ）に制御ユニットは、外周光源部と内周光源部とを点灯させると共に、特定光源部を消灯させる。
【０００９】
このような開示発明によると、円周方向に沿って想定の特定表示領域に形成された特定指標の前方箇所から回転指針が外れた場合には、回転指針に内蔵された特定光源部と外周光源部と内周光源部とがいずれも点灯する。これによれば、発光した回転指針において点灯状態の全光源部から前方の視認者へ届くまでに光の減衰が生じ難くなるので、回転指針に対する注視性が向上し得る。また一方、特定表示領域に形成された特定指標の前方箇所へと回転指針が回転した場合には、外周光源部と内周光源部とは点灯するものの、特定光源部は消灯する。ここで、回転指針における外周光源部と内周光源部との内蔵箇所は、特定表示領域よりも外周側と内周側とに想定の外周表示領域と内周表示領域とに対し、それぞれ前方箇所を回転することになる。これによれば、透明又は半透明な回転指針において消灯した特定光源部の内蔵箇所では、後方の特定指標が実質的に隠れることなく前方から視認可能となる。それと共に、回転指針において発光の止められる箇所が特定光源部の内蔵箇所に絞られるので、回転指針に対する注視性の低下が抑制され得る。以上のことから、注視性の向上した回転指針が特定指標を指示することによる情報の報知性を、確保することができる。
【図面の簡単な説明】
【００１０】
【図１】第一実施形態の車両用表示装置を示す斜視図である。
【図２】図１のII−II線断面図である。
【図３】図１における車両用表示装置の一部を拡大して示す正面図である。
【図４】図２における指針ユニット及び駆動ユニットのそれぞれ一部を拡大して示す断面図である。
【図５】図２の駆動ユニットを示す正面図である。
【図６】図４の回転指針の一部を示す正面図である。
【図７】図６のVII−VII線断面図である。
【図８】図１における車両用表示装置の図３とは異なる作動状態を示す正面図である。
【図９】第二実施形態における回転指針の一部を示す正面図である。
【図１０】第二実施形態における指針ユニット及び駆動ユニットのそれぞれ一部を拡大して示す断面図である。
【図１１】図３の変形例を示す正面図である。
【発明を実施するための形態】
【００１１】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合わせることができる。
【００１２】
（第一実施形態）
図１に示すように、本発明の第一実施形態による車両用表示装置１００は、車両に搭載される。車両用表示装置１００は、車両内の座席に着座した乗員である視認者に対し、表示を行うコンビネーションメータである。かかる表示のために車両用表示装置１００は、車両内のインストルメントパネルに設置される。ここで、車両用表示装置１００における「前方」とは、車両内の視認者に表示を行う方向、即ち視認者による視認側を示す。
【００１３】
図１，２に示すように車両用表示装置１００は、表示ケース１１０、表示パネル１２０、指針ユニット１４０、駆動ユニット１５０及び制御ユニット１７０を備えている。表示ケース１１０は、複数の樹脂部材から中空箱状に構成されている。表示ケース１１０は、インストルメントパネルへの設置下にて前方に向かって開口する表示窓１１１を、形成している。
【００１４】
表示パネル１２０は、例えば液晶パネル又は有機ＥＬパネル等であり、全体として略矩形の板状に形成されている。表示パネル１２０は、表示ケース１１０内に収容され、同ケース１１０により保持されている。表示パネル１２０は、表示窓１１１を通して前方に露出する画面１２１を、有している。図１に示すように表示パネル１２０は、指標画像１２２ａ，１２２ｂ及び背景画像１２３ａ，１２３ｂ等の各種カラー画像を、前方の視認者から視認可能に画面１２１に表示する。このとき、指標画像１２２ａ，１２２ｂ及び背景画像１２３ａ，１２３ｂの表示状態にて画面１２１は、表示パネル１２０に内蔵のバックライトにより透過照明される。
【００１５】
図１，３に示すように指標画像１２２ａ，１２２ｂは、車両に関連する表示指標としてそれぞれ、数字指標１２４ａ，１２４ｂ及び目盛指標１２５ａ，１２５ｂを形成する。ここで本実施形態では、画面１２１のうち横方向の片側に設定される円形表示部１２１ａにて、車両の車速情報を報知するための指標画像１２２ａが表示される。かかる指標画像１２２ａは、車速情報に対応した数字指標１２４ａ及び目盛指標１２５ａを、同表示部１２１ａの外周縁に沿った円周方向にそれぞれ複数ずつ並べて形成する。一方、画面１２１のうち横方向の別側に設定される円形表示部１２１ｂには、車両のエンジン回転数情報を報知するための指標画像１２２ｂが表示される。かかる指標画像１２２ｂは、エンジン回転数情報に対応した数字指標１２４ｂ及び目盛指標１２５ｂを、同表示部１２１ｂの外周縁に沿った円周方向にそれぞれ複数ずつ並べて形成する。
【００１６】
各円形表示部１２１ａ，１２１ｂにて背景画像１２３ａ，１２３ｂは、それぞれ対応する指標画像１２２ａ，１２２ｂの背景を、形成する。特に本実施形態の円形表示部１２１ａでは、後に詳述する回転指針１４１に対しての注視性を向上させるために、背景画像１２３ａの一部が軌跡表現画像１２３ａｔとして表示されるようになっている。かかる軌跡表現画像１２３ａｔは、回転指針１４１のうち後に詳述する特定部分の軌跡を、同指針１４１の回転側とは逆側にて表現するための画像である。ここで、特に本実施形態の軌跡表現画像１２３ａｔは、円形表示部１２１ａにて円周方向に間隔をあけて並ぶ複数の線状画像から構成され、回転指針１４１の回転位置から回転側とは逆側の範囲に表示される。
【００１７】
図１，２に示す指針ユニット１４０及び駆動ユニット１５０は、各円形表示部１２１ａ，１２１ｂにそれぞれ対応して一つずつ、且つ互いに実質同一構成をもって設けられている。また、こうした各円形表示部１２１ａ，１２１ｂの指針ユニット１４０及び駆動ユニット１５０に共通して、制御ユニット１７０が設けられている。そこで以下では、指針ユニット１４０及び駆動ユニット１５０について、円形表示部１２１ａ側のものを代表して説明し、円形表示部１２１ｂ側のものは円形表示部１２１ａ側と異なる部分を特に説明する。それと共に以下では、制御ユニット１７０について、円形表示部１２１ａ側における指針ユニット１４０及び駆動ユニット１５０との関係性を代表して説明する。
【００１８】
図１〜５に示すように指針ユニット１４０は、回転指針１４１及び可動歯車１４２を含んで構成されている。回転指針１４１は、全体として透明又は着色により半透明（以下、単に「透明又は半透明」という）な細長板状に形成されている。回転指針１４１は、表示ケース１１０内のうち表示パネル１２０の前方に収容されている。図１〜３に示すように回転指針１４１は、円形表示部１２１ａの径方向に沿って延伸した状態を維持しつつ、同表示部１２１ａの円周方向に回転可能に配置されている。回転指針１４１は、車両の車速情報を表示するために、自身の回転位置に応じた指標画像１２２ａの形成指標１２４ａ，１２５ａを指示可能となっている。
【００１９】
図４〜７に示すように回転指針１４１には、複数の指針光源部１４３が内蔵されている。各指針光源部１４３は、回転指針１４１の長手方向（即ち、円形表示部１２１ａの径方向）において等間隔に並んでいる。各指針光源部１４３は、視認者により前方から視認困難なサイズ（例えば直径１００μｍ程度）に、形成されている。但し、図４〜７では、説明の理解を容易にするために、各指針光源部１４３が実際よりも模式的に大きく描かれている。
【００２０】
各指針光源部１４３は、本実施形態では赤色、緑色及び青色である三色のＬＥＤ光源から、それぞれ構成されている。各指針光源部１４３は、三色のＬＥＤ光源のうち少なくとも一つが通電されるのに応じて点灯することで、回転指針１４１における自身の内蔵箇所を前方の視認者から視認可能に発光させる。ここで、図４，６，７に示すように本実施形態の各指針光源部１４３は、透明又は半透明な透光性樹脂基板１４６に対し後方に積層された透明又は半透明な透光性樹脂フィルム１４７，１４９の間に、図示しない透明又は半透明な透光性電極と共に埋設されている。これにより、各指針光源部１４３からの光の減衰を抑制して、発光強度を高めることが可能となっている。また、このような発光に対して各指針光源部１４３は、三色のＬＥＤ光源全てへの通電が停止するのに応じて消灯することで、回転指針１４１における自身の内蔵箇所での発光を止める。
【００２１】
図３に示すように、円形表示部１２１ａ側の指針光源部１４３は、表示パネル１２０に想定される表示領域１２６，１２７，１２８にそれぞれ対応して、三種類に分けられている。具体的にはまず、円形表示部１２１ａの円周方向に沿って想定される円環帯状の特定表示領域１２６（例えば、図３の二点鎖線で区切られた領域を参照）には、表示指標のうち特定指標としての数字指標１２４ａが指標画像１２２ａにより形成されると共に、軌跡表現画像１２３ａｔが必要に応じて表示される。特定光源部１４３ａは、かかる特定表示領域１２６の前方にて回転指針１４１に複数内蔵されている。次に、円形表示部１２１ａのうち特定表示領域１２６の外周側にて円周方向に沿って想定される円環帯状の外周表示領域１２７（例えば、図３の二点鎖線で区切られた領域を参照）には、表示指標のうち目盛指標１２５ａが指標画像１２２ａにより形成されると共に、軌跡表現画像１２３ａｔが表示される。外周光源部１４３ｂは、かかる外周表示領域１２７の前方にて回転指針１４１に複数内蔵されている。さらに、円形表示部１２１ａのうち特定表示領域１２６の内周側にて円周方向に沿って想定される円環帯状の内周表示領域１２８（例えば、図３の二点鎖線で区切られた領域を参照）には、軌跡表現画像１２３ａｔが表示される。内周光源部１４３ｃは、かかる内周表示領域１２８の前方にて回転指針１４１に複数内蔵されている。尚、円形表示部１２１ｂ側では、指針光源部１４３が三種類に分けられてはおらず、円形表示部１２１ａ側の内周表示領域１２８に対応した領域の前方にて、全ての指針光源部１４３が回転指針１４１に内蔵されている。
【００２２】
図２，４に示すように回転指針１４１には、各指針光源部１４３を前方から覆う指針透過部１４４が、設けられている。指針透過部１４４は、透明又は半透明な透光性樹脂により細長ブロック状に形成されている。指針透過部１４４は、円形表示部１２１ａの前方を全ての指針光源部１４３と一体に回転可能に、配置されている。本実施形態の指針透過部１４４は、点灯した各指針光源部１４３からの光を実質そのまま透過させることで、当該透過箇所にて発光する。
【００２３】
図２，４，５に示すように可動歯車１４２は、金属により円環板状に形成されている。可動歯車１４２は、表示ケース１１０内のうち表示パネル１２０の前方に収容されている。可動歯車１４２は、円形表示部１２１ａを前方の視認者から視認可能に、内周側に露出させている。可動歯車１４２は、かかる露出状態を維持しつつ、円形表示部１２１ａの円周方向に回転可能に配置されている。図４，５に示すように可動歯車１４２は、歯底円の外周側に歯先円を有する外歯車部１４８を、形成している。それと共に可動歯車１４２は、前方に向かって開口する円環溝状のガイドレール１４２ａを、前方を向く前面１４２ｂに形成している。さらに可動歯車１４２は、円周方向の一部に回転指針１４１を支持していることで、当該指針１４１と一体に回転可能となっている。
【００２４】
図２，４に示すように可動歯車１４２には、回転指針１４１を介して一体に回転可能に、金属製の導通ターミナル１４５が複数設けられている。図４，６，７に示すように各導通ターミナル１４５は、回転指針１４１の背後へと細長板状に突出している。各導通ターミナル１４５は、回転指針１４１における上述の透光性電極を介して、それぞれ対応した指針光源部１４３と電気接続により導通している。
【００２５】
具体的に第一導通ターミナル１４５ａは、各特定光源部１４３ａにおける赤色ＬＥＤ光源のマイナス端子と導通している。第二導通ターミナル１４５ｂは、各特定光源部１４３ａにおける緑色ＬＥＤ光源のマイナス端子と導通している。第三導通ターミナル１４５ｃは、各特定光源部１４３ａにおける青ＬＥＤ光源のマイナス端子と導通している。第四導通ターミナル１４５ｄは、各外周光源部１４３ｂ及び各内周光源部１４３ｃにおける赤色ＬＥＤ光源のマイナス端子と導通している。第五導通ターミナル１４５ｅは、各外周光源部１４３ｂ及び各内周光源部１４３ｃにおける緑色ＬＥＤ光源のマイナス端子と導通している。第六導通ターミナル１４５ｆは、各外周光源部１４３ｂ及び各内周光源部１４３ｃにおける青ＬＥＤ光源のマイナス端子と導通している。第七導通ターミナル１４５ｇは、全光源部１４３ａ，１４３ｂ，１４３ｃにおける三色全てのＬＥＤ光源のプラス端子と導通している。尚、円形表示部１２１ｂ側については、第四〜第六導通ターミナル１４５ｄ〜ｆが設けられず、円形表示部１２１ａ側の特定光源部１４３ａに準じて各指針光源部１４３が第一〜第三及び第七導通ターミナル１４５ａ〜ｃ，ｇと導通している。
【００２６】
図２，４，５に示すように駆動ユニット１５０は、カバーベース１５１、加飾リング１５２、弾性部材１５３及びベアリング１５４、固定接触子１５５及びアクチュエータ１５６を含んで構成されている。図２，４に示すようにカバーベース１５１は、樹脂により円環板状に形成されている。カバーベース１５１は、表示ケース１１０内のうち表示パネル１２０の前方且つ可動歯車１４２の背後に、即ちそれら要素１２０，１４２の間に収容されている。ベース１５１は、表示ケース１１０により保持されている。カバーベース１５１は、円形表示部１２１ａを前方の視認者から視認可能に、内周側に露出させている。
【００２７】
加飾リング１５２は、不透光性の樹脂により円環板状に形成されている。加飾リング１５２は、表示ケース１１０内のうち可動歯車１４２の前方から外周側に跨って、収容されている。加飾リング１５２は、カバーベース１５１に装着されることで、当該ベース１５１を介して表示ケース１１０により保持されている。加飾リング１５２は、導通ターミナル１４５の設けられた可動歯車１４２と、カバーベース１５１とを、前方の視認者からは実質視認不能に前方及び外周側から覆っている。一方で加飾リング１５２は、円形表示部１２１ａを前方の視認者から視認可能に、内周側に露出させている。加飾リング１５２は、前方に向かって突出する略断面Ｕ字状をもって円周方向に連続することで、かかる露出状態の円形表示部１２１ａを図１の如く立体的に加飾している。
【００２８】
図４に示すように複数の弾性部材１５３は、それぞれ樹脂により湾曲板状に形成されている。各弾性部材１５３は、表示ケース１１０内のうち可動歯車１４２の前方から外周側に跨って、収容されている。各弾性部材１５３は、円形表示部１２１ａの円周方向において等間隔に並んでいる。各弾性部材１５３は、加飾リング１５２により前方及び外周側から覆われることで、前方の視認者からは実質視認不能となっている。各弾性部材１５３は、カバーベース１５１に装着されることで、当該ベース１５１を介して表示ケース１１０により保持されている。かかる保持状態下にて各弾性部材１５３は、前方に向かって湾曲する略断面Ｕ字状を呈することで、弾性変形可能となっている。
【００２９】
複数のベアリング１５４は、円形表示部１２１ａの外周縁に沿って配置され、同表示部１２１ａの円周方向に等間隔に並んでいる。各ベアリング１５４は、表示ケース１１０内のうち可動歯車１４２の前方に、収容されている。各ベアリング１５４は、加飾リング１５２により前方及び外周側から覆われることで、前方の視認者からは実質視認不能となっている。金属製の各ベアリング１５４は、全体として円板状に形成され、それぞれ対応する弾性部材１５３により内輪を支持されている。それと共に各ベアリング１５４は、ガイドレール１４２ａに外輪を嵌入させている。こうした構成下、各弾性部材１５３の復原力が各ベアリング１５４を介して可動歯車１４２及び回転指針１４１に作用することで、それら歯車１４２及び指針１４１がベース１５１に対し押圧されて円形表示部１２１ａとの同心状態を維持可能となっている。
【００３０】
図２，４に示すように複数の固定接触子１５５は、金属により円環板状に形成されている。各固定接触子１５５は、表示ケース１１０内のうちそれぞれ対応する導通ターミナル１４５の背後に重畳する箇所に、収容されている。各固定接触子１５５は、円形表示部１２１ａの径方向に等間隔に並んでいる。各固定接触子１５５は、カバーベース１５１に装着されることで、当該ベース１５１を介して表示ケース１１０により保持されている。これにより各固定接触子１５５は、表示パネル１２０に対し位置固定されている。各固定接触子１５５は、それぞれ対応する導通ターミナル１４５と摺接することで、当該対応ターミナル１４５と導通可能となっている。
【００３１】
図２，５に示すようにアクチュエータ１５６は、駆動源１５７及び一対の駆動歯車１５８，１５９を有している。駆動源１５７は、本実施形態ではステッピングモータであり、駆動軸１５７ａを有している。駆動源１５７は、表示ケース１１０内のうち可動歯車１４２の外周側、特に本実施形態では可動歯車１４２の下側に収容され、同ケース１１０により保持されている。各駆動歯車１５８，１５９は、金属により平歯車状に形成されている。各駆動歯車１５８，１５９は、歯底円の外周側に歯先円を有する外歯車部１５８ａ，１５９ａを、それぞれ形成している。各駆動歯車１５８，１５９は、表示ケース１１０内のうち可動歯車１４２と駆動源１５７との間に、収容されている。
【００３２】
ここで第一駆動歯車１５８は、駆動軸１５７ａに対し一体回転可能に連結されている。第二駆動歯車１５９は、表示ケース１１０により回転可能に支持されている。第二駆動歯車１５９の外歯車部１５９ａは、第一駆動歯車１５８の外歯車部１５８ａと可動歯車１４２の外歯車部１４８とに、噛合により歯車連繋している。こうした構成下、通電された駆動源１５７により駆動軸１５７ａへ回転トルクが与えられると、各駆動歯車１５８，１５９がそれぞれ自転することで、回転指針１４１が可動歯車１４２と一体に回転駆動されることとなる。
【００３３】
図２に示す制御ユニット１７０は、マイクロコンピュータを主体に構成されている。制御ユニット１７０は、表示ケース１１０の内部又は外部に配置されている。制御ユニット１７０は、各固定接触子１５５と表示パネル１２０と駆動源１５７とに対し、電気接続により導通している。これにより制御ユニット１７０は、固定接触子１５５及び導通ターミナル１４５を介して導通した各指針光源部１４３（即ち円形表示部１２１ａ側では、図３〜７に示す特定光源部１４３ａと外周光源部１４３ｂと内周光源部１４３ｃ）への通電調整を随時実行することで、それら光源部１４３による回転指針１４１の発光状態を制御する。それと共に制御ユニット１７０は、導通した表示パネル１２０への通電指令を随時出力することで、当該パネル１２０における画像１２２ａ，１２３ａ等の各種カラー画像の表示状態を制御する。さらに制御ユニット１７０は、導通した駆動源１５７への通電指令を随時出力することで、アクチュエータ１５６による回転指針１４１の回転駆動状態を制御する。ここで円形表示部１２１ａ側では、回転指針１４１の回転駆動を制御するために、車速情報が制御ユニット１７０へと入力されるようになっている。
【００３４】
以下、制御ユニット１７０による円形表示部１２１ａ側での表示制御について、詳細に説明する。
【００３５】
制御ユニット１７０は、円形表示部１２１ａにて数字指標１２４ａの前方箇所から外れる回転位置へと回転指針１４１を回転駆動した場合には、図３に示すように通常モードＭｎを実行する。具体的に、通常モードＭｎの制御ユニット１７０は、各特定光源部１４３ａと各外周光源部１４３ｂと各内周光源部１４３ｃとのいずれも点灯させる。これにより回転指針１４１は、特定光源部１４３ａの内蔵箇所と外周光源部１４３ｂの内蔵箇所と内周光源部１４３ｃの内蔵箇所との各々にて、発光した状態となる。
【００３６】
さらに、通常モードＭｎの制御ユニット１７０は、円形表示部１２１ａのうち特定表示領域１２６と外周表示領域１２７と内周表示領域１２８との各々に、軌跡表現画像１２３ａｔを表示させる。但し、指標画像１２２ａのうち数字指標１２４ａには軌跡表現画像１２３ａｔが重畳しないように、当該画像１２３ａｔの表示範囲は適宜調整される。これらにより、回転する回転指針１４１の当該回転の側とは逆側にて、特定光源部１４３ａと外周光源部１４３ｂと内周光源部１４３ｃとの各軌跡が軌跡表現画像１２３ａｔにより表現された状態となる。
【００３７】
ここで、通常モードＭｎにおける軌跡表現画像１２３ａｔの表示色は、各光源部１４３ａ，１４３ｂ，１４３ｃの発光色と同一系統色、例えば青色等に設定されることで、回転指針１４１と軌跡表現画像１２３ａｔとの一体感を高めることが可能となる。尚、通常モードＭｎでは、背景画像１２３ａのうち軌跡表現画像１２３ａｔ以外の部分の表示色は、例えば黒色等の暗色に設定される。
【００３８】
また一方で制御ユニット１７０は、円形表示部１２１ａにて数字指標１２４ａの前方箇所となる回転位置へと回転指針１４１を回転駆動した場合には、図８に示すように特別モードＭｓを実行する。具体的に、特別モードＭｓの制御ユニット１７０は、各外周光源部１４３ｂと各内周光源部１４３ｃとを点灯させるが、各特定光源部１４３ａを消灯させる。これにより回転指針１４１は、外周光源部１４３ｂの内蔵箇所と内周光源部１４３ｃの内蔵箇所との各々では発光するが、特定光源部１４３ａの内蔵箇所では発光の止められた状態となる。尚、図８では、説明の理解を容易にするために、特定光源部１４３ａの図示が省略されている。
【００３９】
さらに、特別モードＭｓの制御ユニット１７０は、円形表示部１２１ａのうち外周表示領域１２７と内周表示領域１２８との各々には軌跡表現画像１２３ａｔを表示させるが、特定表示領域１２６では軌跡表現画像１２３ａｔを消去させる。これにより、回転する回転指針１４１の当該回転の側とは逆側では外周光源部１４３ｂと内周光源部１４３ｃとの各軌跡が軌跡表現画像１２３ａｔにより表現されるが、特定光源部１４３ａの軌跡はカットされた状態となる。
【００４０】
ここで、特別モードＭｓにおける軌跡表現画像１２３ａｔの表示色は、通常モードＭｎの場合に準じて、各光源部１４３ｂ，１４３ｃの発光色と同一系統色、例えば青色等に設定される。尚、特別モードＭｓでも、背景画像１２３ａのうち軌跡表現画像１２３ａｔ以外の部分の表示色は、例えば黒色等の暗色に設定される。
【００４１】
（作用効果）
以上説明した第一実施形態の作用効果を、以下に説明する。
【００４２】
第一実施形態によると、円周方向に沿って想定の特定表示領域１２６に形成された数字指標１２４ａの前方箇所から回転指針１４１が外れた場合には、回転指針１４１に内蔵された特定光源部１４３ａと外周光源部１４３ｂと内周光源部１４３ｃとがいずれも点灯する。これによれば、発光した回転指針１４１において点灯状態の全光源部１４３ａ，１４３ｂ，１４３ｃから前方の視認者へ届くまでに光の減衰が生じ難くなるので、回転指針１４１に対する注視性が向上し得る。また一方、特定表示領域１２６に形成された数字指標１２４ａの前方箇所へと回転指針１４１が回転した場合には、外周光源部１４３ｂと内周光源部１４３ｃとは点灯するものの、特定光源部１４３ａは消灯する。ここで、回転指針１４１における外周光源部１４３ｂと内周光源部１４３ｃとの内蔵箇所は、特定表示領域１２６よりも外周側と内周側とに想定の外周表示領域１２７と内周表示領域１２８とに対し、それぞれ前方箇所を回転することになる。これによれば、透明又は半透明な回転指針１４１において消灯した特定光源部１４３ａの内蔵箇所では、後方の数字指標１２４ａが実質的に隠れることなく前方から視認可能となる。それと共に、回転指針１４１において発光の止められる箇所が特定光源部１４３ａの内蔵箇所に絞られるので、回転指針１４１に対する注視性の低下が抑制され得る。以上のことから、注視性の向上した回転指針１４１が数字指標１２４ａを指示することによる情報の報知性を、確保することができる。
【００４３】
さらに第一実施形態によると、数字指標１２４ａを含む表示指標を円周方向に複数並べて形成する指標画像１２２ａ，１２２ｂと、それらの背景を形成する背景画像１２３ａ，１２３ｂとは、前方から視認可能に表示される表示状態を、制御ユニット１７０により制御される。これによれば、回転指針１４１が数字指標１２４ａの前方箇所に回転した場合でも同箇所から外れた場合でも、指標画像１２２ａ，１２２ｂ及び背景画像１２３ａ，１２３ｂの表示状態と回転指針１４１の発光状態との組み合わせにより、回転指針１４１に対する注視性の向上を図ることが可能となる。
【００４４】
ここで特に第一実施形態によると、回転指針１４１が数字指標１２４ａの前方箇所に回転した場合には、外周表示領域１２７と内周表示領域１２８との各々にて回転側とは逆側に、外周光源部１４３ｂと内周光源部１４３ｃとの各軌跡を表現する軌跡表現画像１２３ａｔが、背景画像１２３ａの一部として表示される。これにより回転指針１４１では、消灯した特定光源部１４３ａの両側にて点灯した外周光源部１４３ｂと内周光源部１４３ｃの各内蔵箇所に対し、軌跡表現画像１２３ａｔを回転側とは逆側にて追従させ得る。また一方、回転指針１４１が数字指標１２４ａの前方箇所から外れた場合には、特定表示領域１２６と外周表示領域１２７と内周表示領域１２８との各々にて回転側とは逆側に、特定光源部１４３ａと外周光源部１４３ｂと内周光源部１４３ｃとの各軌跡を表現する軌跡表現画像１２３ａｔが、背景画像１２３ａの一部として表示される。これにより回転指針１４１では、点灯した特定光源部１４３ａと外周光源部１４３ｂと内周光源部１４３ｃとの全内蔵箇所に対し、軌跡表現画像１２３ａｔを回転側とは逆側にて追従させ得る。以上のことから、回転指針１４１が数字指標１２４ａの前方箇所に回転した場合でも同箇所から外れた場合でも、軌跡表現画像１２３ａｔの表示状態と回転指針１４１の発光状態との組み合わせにより、回転指針１４１に対する注視性の向上を図ることができる。
【００４５】
またさらに第一実施形態の駆動ユニット１５０によると、表示パネル１２０に対し位置固定されて制御ユニット１７０と導通の各固定接触子１５５は、指針ユニット１４０の可動歯車１４２に設けられた導通ターミナル１４５と摺接により導通する。ここで導通ターミナル１４５は、特定光源部１４３ａと外周光源部１４３ｂと内周光源部１４３ｃとを点灯させるために、各固定接触子１５５と対応させて複数設けられている。故に制御ユニット１７０は、各固定接触子１５５及び各導通ターミナル１４５を介していずれかの光源部１４３ａ，１４３ｂ，１４３ｃと導通することで、回転指針１４１の発光を制御することができる。しかも駆動ユニット１５０によると、制御ユニット１７０と導通のアクチュエータ１５６では、回転指針１４１を支持する可動歯車１４２と連繋した駆動歯車１５８，１５９が自転することで、可動歯車１４２と一体に回転指針１４１が回転駆動される。故に制御ユニット１７０は、回転指針１４１の回転駆動も制御することができる。以上によれば、回転指針１４１の発光状態と回転指針１４１の回転駆動状態とを制御ユニット１７０の制御により実現する構成につき、表示パネル１２０の前方にて比較的小型に且つ汎用の表示パネル１２０を用いて低コストに構築可能となる。
【００４６】
（第二実施形態）
図９，１０に示すように本発明の第二実施形態は、第一実施形態の変形例である。
【００４７】
第二実施形態の円形表示部１２１ａ側では、図９，１０に示すように特定光源部１４３ａと外周光源部１４３ｂと内周光源部１４３ｃとが、それぞれ対応する表示領域１２６，１２７，１２８の前方にて、一つずつ回転指針２１４１に内蔵されている。それと共に円形表示部１２１ａ側では、図９，１０に示すように、回転指針２１４１のうち指針透過部２１４４と透光性樹脂フィルム１４７との間にて各領域１２６，１２７，１２８の境界と対応した複数箇所に、不透光樹脂製の遮光部２１４１ａが内蔵されている。
【００４８】
円形表示部１２１ａ側の回転指針２１４１において、透明又は半透明な指針透過部２１４４の前面又は背面には、複数の微小（例えば高低差３００μｍ程度）な凹凸が光を拡散可能に設けられている。指針透過部２１４４は、点灯した各光源部１４３ａ，１４３ｂ，１４３ｃからの光を、対応領域１２６，１２７，１２８の前方にて複数の凹凸を通して透過且つ拡散させることで、回転指針２１４１における発光バラツキの抑制を可能にしている。さらに、図９，１０に示す遮光部２１４１ａのそれぞれは、各光源部１４３ａ，１４３ｂ，１４３ｃからの光が対応領域１２６，１２７，１２８外の前方にて指針透過部２１４４の拡散作用を受けることにつき、その抑制を可能にしている。
【００４９】
尚、第二実施形態の円形表示部１２１ｂ側では、図示はしないが、第一実施形態の場合よりも少ない数とされた複数の指針光源部１４３が、指針透過部２１４４を有する回転指針２１４１に内蔵されることとなる。
【００５０】
このような第二実施形態の回転指針２１４１において透明又は半透明な指針透過部２１４４は、特定光源部１４３ａと外周光源部１４３ｂと内周光源部１４３ｃとの各々から、前方複数の凹凸を通して光を透過させることで、当該光を拡散させることとなる。これによれば、回転指針２１４１に内蔵のいずれの光源部１４３ａ，１４３ｂ，１４３ｃも小サイズに収めつつ、回転指針２１４１における発光面積を増大させ得る。故に、回転指針２１４１の回転駆動性と共に、回転指針２１４１に対する注視性の向上効果を高めることができる。
【００５１】
（他の実施形態）
以上、本発明の複数の実施形態について説明したが、本発明は、それらの実施形態に限定して解釈されるものではなく、本発明の要旨を逸脱しない範囲内において種々の実施形態及び組み合わせに適用することができる。
【００５２】
具体的に、第一及び第二実施形態に関する変形例１としては、通常モードＭｎにおいて、外周表示領域１２７と内周表示領域１２８との各々には軌跡表現画像１２３ａｔが表示されるが、特定表示領域１２６では軌跡表現画像１２３ａｔが消去されてもよい。第一及び第二実施形態に関する変形例２としては、特別モードＭｓにおいて、特定表示領域１２６と外周表示領域１２７と内周表示領域１２８との全てに、軌跡表現画像１２３ａｔが表示されてもよい。
【００５３】
第一及び第二実施形態に関する変形例３としては、通常モードＭｎにおいて軌跡表現画像１２３ａｔが表示されなくてもよい。第一及び第二実施形態に関する変形例４としては、特別モードＭｓにおいて軌跡表現画像１２３ａｔが表示されなくてもよい。第一及び第二実施形態に関する変形例５として軌跡表現画像１２３ａｔは、円形表示部１２１ａにて円周方向に並ぶ複数の線状画像以外、例えば図１１に示すように円形表示部１２１ａにて径方向に並ぶ複数の線状画像等から、構成されていてもよい。
【００５４】
第一及び第二実施形態に関する変形例６として、通常モードＭｎにおける軌跡表現画像１２３ａｔの表示色は、各光源部１４３ａ，１４３ｂ，１４３ｃの発光色とは異なる系統色に設定されてもよい。第一及び第二実施形態に関する変形例７として、特別モードＭｓにおける軌跡表現画像１２３ａｔの表示色は、各光源部１４３ｂ，１４３ｃの発光色とは異なる系統色に設定されてもよい。
【００５５】
第一及び第二実施形態に関する変形例８としては、数字指標１２４ａに代えて又は加えて、目盛指標１２５ａが特定表示領域１２６に形成の特定指標であってもよい。第一及び第二実施形態に関する変形例９としては、円形表示部１２１ａ側に準ずる構成を、円形表示部１２１ａ側に代えて又は加えて、円形表示部１２１ｂ側に採用されていてもよい。
【００５６】
第一実施形態に関する変形例１０としては、特定光源部１４３ａと外周光源部１４３ｂと内周光源部１４３ｃとの少なくとも一種類について、回転指針１４１に一つだけ内蔵されていてもよい。第二実施形態に関する変形例１１としては、特定光源部１４３ａと外周光源部１４３ｂと内周光源部１４３ｃとの少なくとも一種類について、回転指針２１４１に複数内蔵されていてもよい。
【００５７】
第一及び第二実施形態に関する変形例１２としては、可動歯車１４２とアクチュエータ１５６とを組み合わせた減速機構以外の各種機構により、回転指針１４１，２１４１が回転駆動されてもよい。第一及び第二実施形態に関する変形例１３としては、表示指標の背景色を印刷等により不変にした表示パネル１２０が、採用されていてもよい。
【符号の説明】
【００５８】
１００  車両用表示装置、１２０  表示パネル、１２２ａ，１２２ｂ  指標画像、１２３ａ，１２３ｂ  背景画像、１２３ａｔ  軌跡表現画像、１２４ａ，１２４ｂ  数字指標、１２５ａ，１２５ｂ  目盛指標、１２６  特定表示領域、１２７  外周表示領域、１２８  内周表示領域、１４０  指針ユニット、１４１，２１４１  回転指針、１４２  可動歯車、１４３  指針光源部、１４３ａ  特定光源部、１４３ｂ  外周光源部、１４３ｃ  内周光源部、１４４，２１４４  指針透過部、１４５  導通ターミナル、１４５ａ  第一導通ターミナル、１４５ｂ  第二導通ターミナル、１４５ｃ  第三導通ターミナル、１４５ｄ  第四導通ターミナル、１４５ｅ  第五導通ターミナル、１４５ｆ  第六導通ターミナル、１４５ｇ  第七導通ターミナル、１５０  駆動ユニット、１５５  固定接触子、１５６  アクチュエータ、１５８  第一駆動歯車、１５９  第二駆動歯車、１７０  制御ユニット
【図１】
2018009901.tif 000003
【図２】
2018009901.tif 000004
【図３】
2018009901.tif 000005
【図４】
2018009901.tif 000006
【図５】
2018009901.tif 000007
【図６】
2018009901.tif 000008
【図７】
2018009901.tif 000009
【図８】
2018009901.tif 000010
【図９】
2018009901.tif 000011
【図１０】
2018009901.tif 000012
【図１１】
2018009901.tif 000013